【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
二次電池が接続される第１および第２電源端子と、
負荷又は充電器が接続される第１および第２外部端子と、
前記第１電源端子及び前記第１外部端子を通る第１電流経路と、
前記第２電源端子及び前記第２外部端子を通る第２電流経路と、
前記第２電流経路の前記第２外部端子側に接続された検出端子と、第１および第２制御端子を備えた制御回路と、
前記第２電流経路に直列に配置され、前記第２外部端子側に接続された第１トランジスタと、前記第２電源端子側に接続された第２トランジスタと、前記第１トランジスタに並列に接続され前記第２外部端子側をアノードとする第１ダイオードと、前記第２トランジスタに並列に接続され前記第２電源端子側をアノードとする第２ダイオードと、とを含み、前記第１及び第２トランジスタは前記第１および第２制御端子からの信号によって制御される構成のスイッチ回路と、
を備え、
前記制御回路は、前記第１及び第２電源端子間に二次電池が接続され、前記第１および第２外部端子間に負荷又は充電器が接続されたとき、
前記第１および第２トランジスタを共にオンに制御している際には、前記第２電源端子の電圧を基準に前記検出端子で検出した検出電圧が第１Ａ判定電圧に達し、且つその状態が第１期間継続した場合に前記第２トランジスタをオフに制御し、
前記第１トランジスタをオフ、前記第２トランジスタをオンに制御している際には、前記検出電圧が前記第１Ａ判定電圧よりも大きい第１Ｂ判定電圧に達し、且つその状態が前記第１期間継続した場合に前記第２トランジスタをオフに制御することを特徴とする電池制御装置。
【請求項２】
請求項１記載の電池制御装置において、
前記制御回路は、更に、前記第１および第２トランジスタを共にオンに制御している際には、前記検出電圧が第２Ａ判定電圧に達し、且つその状態が第２期間継続した場合に前記第２トランジスタをオフに制御し、
前記第２Ａ判定電圧は、前記第１Ａ判定電圧よりも小さく、
前記第２期間は、前記第１期間よりも長いことを特徴とする電池制御装置。
【請求項３】
請求項２記載の電池制御装置において、
前記制御回路は、更に、前記第１トランジスタをオフ、前記第２トランジスタをオンに制御している際には、前記検出電圧が前記第２Ａ判定電圧よりも大きい第２Ｂ判定電圧に達し、且つその状態が前記第２期間継続した場合に前記第２トランジスタをオフに制御することを特徴とする電池制御装置。
【請求項４】
請求項２記載の電池制御装置において、
前記制御回路は、前記第２電源端子の電圧を基準に前記第１電源端子の電圧が第３Ａ判定電圧に達し、且つその状態が第３期間継続した場合に前記第１トランジスタをオフ、前記第２トランジスタをオンに制御し、その後、前記第１電源端子の電圧が前記第３Ａ判定電圧よりも小さい第３Ｂ判定電圧に戻った場合に前記第１および第２トランジスタを共にオンに制御することを特徴とする電池制御装置。
【請求項５】
二次電池及び電池制御装置が組み込まれた電池パックであって、
前記電池制御装置は,
負荷又は充電器が接続される正極外部端子および負極外部端子と、
正極ノードおよび負極ノードを備えた二次電池と、
前記正極外部端子及び前記正極ノードを通る第１電流経路と、
前記負極外部端子及び前記負極ノードを通る第２電流経路と、
前記第１電流経路に接続された第１電源ノードおよび前記第２電流経路の前記負極ノード側に接続された第２電源ノード、前記第２電流経路の前記負極外部端子側に接続された検出ノード、第１および第２制御ノードを備えた制御回路と、
前記第２電流経路に直列に配置された第１および第２トランジスタと、第１および第２ダイオードとを有し、前記第１トランジスタは、前記第１制御ノードからの制御信号によってオン・オフが制御され、前記負極外部端子側に接続され、前記第２トランジスタは、前記第２制御ノードからの制御信号によってオン・オフが制御され、前記負極ノード側に接続され、前記第１ダイオードは、前記第１トランジスタに並列に前記負極外部端子側をアノードとして接続され、前記第２ダイオードは、前記第２トランジスタに並列に前記負極ノード側をアノードとして接続されてなるスイッチ回路と、
を備えてなり、
前記制御回路は、前記正極外部端子と負極外部端子との間に負荷又は充電器が接続されているとき、
前記第１および第２トランジスタを共にオンに制御している際には、前記第２電源ノードの電圧を基準に前記検出ノードで検出した検出電圧が第１Ａ判定電圧に達し、且つその状態が第１期間継続した場合に前記第２トランジスタをオフに制御し、
前記第１トランジスタをオフ、前記第２トランジスタをオンに制御している際には、前記検出電圧が前記第１Ａ判定電圧よりも大きい第１Ｂ判定電圧に達し、且つその状態が前記第１期間継続した場合に前記第２トランジスタをオフに制御することを特徴とする電池パック。
【請求項６】
請求項５記載の電池パックにおいて、
前記制御回路は、更に、前記第１および第２トランジスタを共にオンに制御している際には、前記検出電圧が第２Ａ判定電圧に達し、且つその状態が第２期間継続した場合に前記第２トランジスタをオフに制御し、
前記第２Ａ判定電圧は、前記第１Ａ判定電圧よりも小さく、
前記第２期間は、前記第１期間よりも長いことを特徴とする電池パック。
【請求項７】
請求項６記載の電池パックにおいて、
前記制御回路は、更に、前記第１トランジスタをオフ、前記第２トランジスタをオンに制御している際には、前記検出電圧が前記第２Ａ判定電圧よりも大きい第２Ｂ判定電圧に達し、且つその状態が前記第２期間継続した場合に前記第２トランジスタをオフに制御することを特徴とする電池パック。
【請求項８】
請求項６記載の電池パックにおいて、
前記制御回路は、前記第２電源ノードの電圧を基準に前記第１電源ノードの電圧が第３Ａ判定電圧に達し、且つその状態が第３期間継続した場合に前記第１トランジスタをオフ、前記第２トランジスタをオンに制御し、その後、前記第１電源ノードの電圧が前記第３Ａ判定電圧よりも小さい第３Ｂ判定電圧に戻った場合に前記第１および第２トランジスタを共にオンに制御することを特徴とする電池パック。
【請求項９】
請求項８記載の電池パックにおいて、
前記第１Ａおよび第１Ｂ判定電圧は、前記正極外部端子と前記負極外部端子の間が短絡状態とみなされる場合を検出する電圧であり、
前記第２Ａおよび第２Ｂ判定電圧は、前記正極外部端子から前記負極外部端子に向けて過剰電流が流れた場合を検出する電圧であることを特徴とする電池パック。
【請求項１０】
二次電池の充放電電流経路上の第１および第２ノード間に直列に挿入された充電保護用スイッチおよび放電保護用スイッチと、前記充電保護用スイッチに並列接続され、前記二次電池からの放電電流のみを流す第１ダイオードと、前記放電保護用スイッチに並列接続され、前記二次電池への充電電流のみを流す第２ダイオードと、を含むスイッチ回路と、
前記二次電池の電圧および電流を監視し、前記充電保護用スイッチおよび前記放電保護用スイッチのオン・オフを制御する制御回路と、
を備え、
前記制御回路は、
前記充電保護用スイッチおよび前記放電保護用スイッチを共にオンに制御している際には、前記第１ノードと前記第２ノード間の電位差が第１Ａ判定電圧に達し、且つその状態が第１期間継続した場合に前記放電保護用スイッチをオフに制御し、
前記充電保護用スイッチをオフ、前記放電保護用スイッチをオンに制御している際には、前記第１ノードと前記第２ノード間の電位差が前記第１Ａ判定電圧よりも大きい第１Ｂ判定電圧に達し、且つその状態が前記第１期間継続した場合に前記放電保護用スイッチをオフに制御することを特徴とする電池制御装置。
【請求項１１】
請求項１０記載の電池制御装置において、
前記制御回路は、更に、前記充電保護用スイッチおよび前記放電保護用スイッチを共にオンに制御している際には、前記第１ノードと前記第２ノード間の電位差が第２Ａ判定電圧に達し、且つその状態が第２期間継続した場合に前記放電保護用スイッチをオフに制御し、
前記第２Ａ判定電圧は、前記第１Ａ判定電圧よりも小さく、
前記第２期間は、前記第１期間よりも長いことを特徴とする電池制御装置。
【請求項１２】
請求項１１記載の電池制御装置において、
前記制御回路は、更に、前記充電保護用スイッチをオフ、前記放電保護用スイッチをオンに制御している際には、前記第１ノードと前記第２ノード間の電位差が前記第２Ａ判定電圧よりも大きい第２Ｂ判定電圧に達し、且つその状態が前記第２期間継続した場合に前記放電保護用スイッチをオフに制御することを特徴とする電池制御装置。